(57)【特許請求の範囲】
【請求項１】
供給される多数の物品を搬送中に複数列に振り分けるための振分けトラフであって、
幅方向中央において物品搬送方向に延設され、各物品を左右に分散させるための一対の傾斜面からなる横断面山形状の中央分散部と、
前記中央分散部の左右両側においてそれぞれ物品搬送方向に延設され、各物品を複数列に振り分けるための左右非対称な横断面山形状の複数の振分け部とを備え、
前記各振分け部の前記山形状は、前記中央分散部に近い側に配置される第１の傾斜面と、前記中央分散部から離れた側に配置され、物品が載置される第２の傾斜面とからそれぞれ構成され、前記中央分散部の前記傾斜面と前記振分け部の前記第１の傾斜面により、および前記振分け部の前記第２の傾斜面と当該振分け部と隣り合う前記振分け部の第２の傾斜面により、物品の第１の搬送溝が形成されており、
前記各振分け部の前記山形状の高さを、物品搬送方向下流側に向かうにしたがい、前記中央分散部に近い側の前記振分け部から順に搬送方向に沿って徐々に高くなるようにしたことで、前記各振分け部において物品が載置される前記第２の傾斜面の傾きが、物品搬送方向下流側に向かうにしたがい、前記中央分散部に近い側から順に徐々に大きくなっている、
ことを特徴とする振分けトラフ。
【請求項２】
請求項１において、
前記第１の搬送溝の横断面形状が、異形のＶ字状断面形状を有している、
ことを特徴とする振分けトラフ。
【請求項３】
請求項１において、
前記第１の傾斜面が、物品搬送方向上流側では斜めに傾斜しており、物品搬送方向下流側に向かうにしたがい徐々に直立状態に起立している、
ことを特徴とする振分けトラフ。
【請求項４】
請求項１において、
当該振分けトラフが、振動フィーダにより構成されている、
ことを特徴とする振分けトラフ。
【請求項５】
請求項１に記載の振分けトラフを備えた振分け装置であって、
前記振分けトラフの物品搬送方向下流側には整列トラフが設けられており、前記整列トラフは、前記第１の搬送溝に対応する第２の搬送溝を有し、前記第２の搬送溝は、物品搬送方向下流端において当該振分け装置の次工程への物品の受け渡しが行われるように、物品搬送方向下流側に向かうにしたがい、その傾斜角度が変化している、
ことを特徴とする振分け装置。
【請求項６】
請求項５において、
前記振分けトラフおよび前記整列トラフの間には、傾き修正トラフが設けられており、前記傾き修正トラフは、前記振分けトラフの前記第１の搬送溝内で起立した状態で搬送される物品の傾きを修正するための第３の搬送溝を有している、
ことを特徴とする振分け装置。
【請求項７】
請求項６において、
前記第３の搬送溝が、物品搬送方向下流側に向かうにしたがい、当該第３の搬送溝の側に徐々に張り出す張出し部位を一部に有している、
ことを特徴とする振分け装置。
【発明の詳細な説明】
【技術分野】
【０００１】
本発明は、供給される多数の物品をその搬送中に複数列に振り分けるための振分け装置に関する。
【背景技術】
【０００２】
多数の物品、例えば錠剤を１個ずつ搬送するための錠剤搬送装置として、特開２００８−１７９４６６号公報に示すようなものが提案されている（同公報の図１ないし図５参照）。この錠剤搬送装置は、Ｖ字状の複数の錠剤用搬送溝を有するトラフと、トラフの上方に配置され、三角形状の切欠部を有する錠剤通過制御板（または接触突片を有する錠剤起立制御板）とを備えている。
【０００３】
上記公報の記載によれば、トラフの搬送溝内の各錠剤は、錠剤通過制御板の切欠部（または錠剤起立制御板の接触突片）の作用によって、搬送溝内で互いに重なり合うことなく、起立状態に維持されて１個ずつ搬送されるようになっている。
【発明の概要】
【発明が解決しようとする課題】
【０００４】
しかしながら、上記従来の装置では、多数の錠剤を複数列に振り分けるために、トラフとは別個に錠剤通過制御板や錠剤起立制御板を設けなければならず、構造が複雑である。しかも、切欠部の開口幅や奥行を適切な寸法に調整する必要があり、また、切欠部（または接触突片）と搬送溝との間隔についても適切な寸法に調整する必要があって、調整作業が面倒である。
【０００５】
本発明は、このような従来の実情に鑑みてなされたもので、本発明が解決しようとする課題は、多数の物品を搬送中に複数列に振り分けることができる振分け装置を簡単な構造で実現することにある。さらに、本発明は、ランダムに供給される多数の物品をその搬送中に複数列に振り分けるとともに整列させて次工程に導入することができる振分け装置を簡単な構造で実現しようとしている。
【課題を解決するための手段】
【０００６】
上記課題を解決するために、本発明に係る振分けトラフは、供給される多数の物品を搬送中に複数列に振り分けるためのものであって、幅方向中央において物品搬送方向に延設され、各物品を左右に分散させるための一対の傾斜面からなる横断面山形状の中央分散部と、中央分散部の左右両側においてそれぞれ物品搬送方向に延設され、各物品を複数列に振り分けるための左右非対称な横断面山形状の複数の振分け部とを備えている。各振分け部の山形状は、中央分散部に近い側に配置される第１の傾斜面と、中央分散部から離れた側に配置され、物品が載置される第２の傾斜面とからそれぞれ構成され、中央分散部の傾斜面と振分け部の第１の傾斜面により、および振分け部の第２の傾斜面と当該振分け部と隣り合う振分け部の第１の傾斜面により、物品の第１の搬送溝が形成されている。各振分け部の山形状の高さを、物品搬送方向下流側に向かうにしたがい、中央分散部に近い側の振分け部から順に搬送方向に沿って徐々に高くなるようにしたことで、各振分け部において物品が載置される第２の傾斜面の傾きが、物品搬送方向下流側に向かうにしたがい、中央分散部に近い側から順に徐々に大きくなっている（請求項１参照）。
【０００７】
本発明においては、供給された多数の物品は、中央分散部により左右に分散されるとともに、各振分け部により振り分けられることにより、中央分散部の傾斜面と振分け部の第１の傾斜面による第１の搬送溝、および振分け部の第１の傾斜面と第２の傾斜面による第１の搬送溝にそれぞれ収容されて下流側に搬送される。
【０００８】
本発明においては、各振分け部の山形状の高さを、物品搬送方向下流側に向かうにしたがい、中央分散部に近い側の振分け部から順に搬送方向に沿って徐々に高くなるようにしたことで、各振分け部の第２の傾斜面の傾きが、物品搬送方向下流側に向かうにしたがい、徐々に大きくなっているので、物品が第２の傾斜面上で上下に重なっている場合でも、搬送方向下流側に向かうにつれて、上側の物品が下側の物品の上から滑り落ちて隣の第２の傾斜面上に移動することになるので、各物品を各傾斜面の上に上下の重なり合いなく確実に分散できるようになる。
【０００９】
上記従来装置のように、搬送溝が左右対称な形状を有している場合には、搬送溝内の各錠剤は、搬送溝の各傾斜面のいずれの側にも載置されやすくなっており、その結果、各錠剤の重なり合いが生じやすくなっているものと推測される。その結果、錠剤通過制御板や錠剤起立制御板のような別個の部材が必要になってくる。
【００１０】
本発明によれば、物品を複数列に振り分けるのに、上記従来装置における錠剤通過制御板や錠剤起立制御板のような当該振分け装置とは別個の部材を必要としないので、全体の構造を簡略化できる。また、本発明によれば、供給される物品の種類が異なった場合でも、物品の大きさや形状に見合った搬送溝を有する振分け装置に交換するだけでよく、振分け装置とは別個の部材の調整が不要となるので、物品の種類の変更に対する装置全体の切換えが容易である。
【００１１】
また、本発明においては、第１の搬送溝の横断面形状が、異形のＶ字状断面形状を有している（請求項２参照）。
【００１２】
本発明においては、第１の傾斜面が、物品搬送方向上流側では斜めに傾斜しており、物品搬送方向下流側に向かうにしたがい徐々に直立状態に起立している（請求項３参照）。
【００１３】
本発明においては、当該装置が振動フィーダにより構成されているので（請求項４参照）、供給される多数の物品を順次下流側に搬送できるとともに、搬送中に各物品が重なり合うのを確実に防止できる。
【００１４】
本発明においては、振分けトラフの物品搬送方向下流側には整列トラフが設けられており、整列トラフは、第１の搬送溝に対応する第２の搬送溝を有し、第２の搬送溝は、物品搬送方向下流端において当該振分け装置の次工程への物品の受け渡しが行われるように、物品搬送方向下流側に向かうにしたがい、その傾斜角度が変化している（請求項５参照）。
【００１５】
本発明においては、振分けトラフおよび整列トラフの間にさらに傾き修正トラフが設けられており、当該傾き修正トラフは、振分けトラフの第１の搬送溝内で起立した状態で搬送される物品の傾きを修正するための第３の搬送溝を有している（請求項６参照）。この場合には、振分けトラフの第１の搬送溝内において、物品が万一起立した状態で搬送された場合には、当該物品は、傾き修正トラフの第３の搬送溝内を通過する際にその傾きが修整される。
【００１６】
本発明においては、第３の搬送溝が、物品搬送方向下流側に向かうにしたがい、当該第３の搬送溝の側に徐々に張り出す張出し部位を一部に有している（請求項７参照）。この場合には、振分けトラフの第１の搬送溝内において、物品が万一起立した状態で搬送された場合には、当該物品は、第３の搬送溝の張出し部位に当接することで当該第３の搬送溝の側に押し戻されて、起立状態から仰臥状態に移行することになる。
【発明の効果】
【００１８】
以上のように、本発明に係る振分けトラフによれば、幅方向中央に一対の傾斜面を有する山形状の中央分散部と、その左右両側において左右非対称な山形状の複数の振分け部とを設け、各振分け部の山形状の高さが、物品搬送方向下流側に向かうにしたがい、中央分散部に近い側の振分け部から順に搬送方向に沿って徐々に高くなるようにしたことで、各振分け部の第２の傾斜面の傾きが、物品搬送方向下流側に向かうにしたがい、徐々に大きくなっているので、供給された多数の物品は、中央分散部により左右に分散されるとともに、各振分け部により複数列に振り分けられることにより、中央分散部の傾斜面と振分け部の第１の傾斜面による第１の搬送溝、および振分け部の第１の傾斜面と第２の傾斜面による第１の搬送溝にそれぞれ収容されて下流側に搬送される。
【００１９】
このとき、物品が傾斜面上で上下に重なっている場合でも、搬送方向下流側に向かうにつれて、上側の物品が下側の物品の上から滑り落ちて隣の傾斜面上に移動することになるので、各物品を各傾斜面の上に上下の重なり合いなく確実に分散できるようになる。さらに、本発明によれば、物品を複数列に振り分けるのに、当該振分け装置とは別個の部材を必要としないので、全体の構造を簡略化できる。
【図面の簡単な説明】
【００２０】
【図１】本発明の一実施例による振分け装置が適用された錠剤搬送装置の概略構成図である。
【図２】振分け装置（図１）の平面概略図である。
【図３】振分け装置を構成する振分けトラフの平面図である。
【図４】図３のIV-IV線断面図である。
【図５】図３のV-V線断面図である。
【図６】図３のVI-VI線断面図である。
【図７】図３のVII-VII線断面図である。
【図８】振分け装置を構成する整列トラフの平面図である。
【図９】図８のIX-IX線断面図である。
【図１０】図８のX-X線断面図である。
【図１１】図８のXI-XI線断面図である。
【図１２】図８のXII-XII線断面図である。
【図１３】振分け装置および整列装置の間に配置された傾き修正トラフの平面図である。
【図１４】図１３のXIV-XIV線矢視図である。
【図１５】傾き修正トラフ（図１３）の作用を説明するための図である。
【発明を実施するための形態】
【００２１】
以下、本発明の実施例について、添付図面に基づいて説明する。
図１は、本発明の一実施例による振分け装置を採用した錠剤搬送装置を示している。同図に示すように、この錠剤搬送装置１は、多数の錠剤を貯留するホッパ２と、ホッパ２からフィーダ２０を介して供給される多数の錠剤を複数列に振り分ける振分けユニット（振分け装置）３と、振分けユニット３により振り分けられた各錠剤を矢印方向に搬送する搬送コンベア４とを備えている。
【００２２】
フィーダ２０はバイブレータ２０ａを有している。振分けユニット３は、斜め下方に傾斜して配設され、同様にバイブレータ３３を有しており、振動フィーダを構成している。搬送コンベア４の上流端はタイミングプーリ４０に巻き掛けられ、下流端は、図示しないタイミングプーリに巻き掛けられている。
【００２３】
図２ないし図１５は、振分けユニットを説明するための図である。
図２に示すように、この振分けユニット３は、振分けトラフ３０と、その下流側に配設された整列トラフ３１と、これらの間に配置された傾き修正トラフ３２とを有している。
【００２４】
振分けトラフ３０は、図３ならびにその幅方向の横断面図である図４ないし図７に示すように、幅方向中央に配置された山形状の中央分散部３０Ａと、中央分散部３０Ａの左右両側に設けられた山形状の複数の振分け部３０Ｂ、３０Ｃとを有している。
【００２５】
中央分散部３０Ａは、フィーダ２０（図１）から供給されてきた多数の錠剤Ｔを左右に分散させるためのものであって、錠剤搬送方向（図３右方向）に延設された一対の傾斜面３０ａを有している。各傾斜面３０ａは、左右対称である方が好ましいが、必ずしも左右対称でなくてもよい。
【００２６】
振分け部３０Ｂ、３０Ｃは、中央分散部３０Ａにより左右に分散された各錠剤Ｔを幅方向の複数列に振り分けるためのものであって、錠剤搬送方向に延設された左右非対称の一対の傾斜面３０ｂ１、３０ｂ２および３０ｃ１、３０ｃ２をそれぞれ有している。第１の傾斜面３０ｂ１、３０ｃ１は、中央分散部３０Ａに近い側に配置されており、第２の傾斜面３０ｂ２、３０ｃ２は、中央分散部３０Ａから離れた側に配置されている。第１の傾斜面３０ｂ１、３０ｃ１は、直立状態またはこれに近い状態に配置されており、これに対して、第２の傾斜面３０ｂ２、３０ｃ２は、第１の傾斜面３０ｂ１、３０ｃ１に比べて、より傾斜した状態に配置されている。
【００２７】
また、振分け部３０Ｂ、３０Ｃは、図４→図５→図６→図７と下流側に向かうにしたがい、中央分散部３０Ａに近い側の振分け部３０Ｂ、３０Ｃから順に、その山形状の高さが徐々に高くなっている。このように構成したのは、以下の理由による。
【００２８】
図４中の錠剤Ｔ”のように、他の錠剤Ｔの上に重なった状態で搬送される錠剤があった場合、これらの錠剤Ｔ、Ｔ”が配置された傾斜面３０ｃ２が錠剤搬送方向下流側に向かうにしたがい徐々に立ち上ってその高さが高くなっていることで、図５→図６→図７に示すように、搬送中に錠剤Ｔ”が錠剤Ｔの上から滑り落ちて、外側の傾斜面３０ｃ２の上に移動する。これにより、傾斜面３０ｃ２上での錠剤の重なり合いを防止できる。また、この場合には、振分け部３０Ｂ、３０Ｃの各傾斜面３０ｂ２、３０ｃ２の高さが、中央分散部３０Ａに近い側から順に徐々に高くなっているので、中央分散部３０Ａに近い側の傾斜面３０ｂ２、３０ｃ２の上で錠剤が重なっていた場合には、当該錠剤は、搬送中に一つずつ外側の傾斜面３０ｂ２、３０ｃ２の上に移動し、最終的に搬送方向下流端では、各傾斜面３０ｂ２、３０ｃ２の上には、錠剤が上下に重なり合うことなく、一つずつ配置されることになる。このようにして、多数の錠剤が中央分散部３０Ａおよび振分け部３０Ｂ、３０Ｃの各傾斜面３０ａ、３０ｂ２、３０ｃ２の上に上下の重なり合いなく分散されることになる。
【００２９】
振分けトラフ３０の下流端側には、図７に示すように、中央分散部３０Ａの各傾斜面３０ａと振分け部３０Ｂ、３０Ｃの第１の傾斜面３０ｂ１、３０ｃ１、および振分け部３０Ｂ、３０Ｃの第１の傾斜面３０ｂ１、３０ｃ１と第２の傾斜面３０ｂ２、３０ｃ２により形成された異形のＶ字状の横断面形状を有する第１の搬送溝が、幅方向に７個形成されている。振分けトラフ３０により分散されて左右に振り分けられた各錠剤Ｔは、その表面または裏面が中央分散部３０Ａの各傾斜面３０ａ、各振分け部３０Ｂ、３０Ｃの第２の傾斜面３０ｂ２、３０ｃ２の上にそれぞれ載置されて斜めの状態で保持されており、その側面は第１の傾斜面３０ｂ１、３０ｃ１で支持されている（図７参照）。各錠剤Ｔは、第２の傾斜面３０ｂ２、３０ｃ２の上で支持されつつ、下流側に搬送される。
【００３０】
これに対して、振分けトラフ３０の上流端から下流端にかけて、単なる矩形状断面の溝が７本形成されている場合には、当該矩形状断面の溝の中で錠剤同士が上下に積み重なったり、錠剤が起立したりするという不具合が発生しやすく、各錠剤を複数列に振り分けるのは困難である。
【００３１】
なお、図７中、錠剤Ｔ’は、錠剤Ｔとは逆の向きに傾斜しており、側面が第２の傾斜面３０ｂ２で支持されるとともに、表面または裏面のいずれかが第１の傾斜面３０ｂ１で支持されており、錠剤Ｔと比べて起立した状態におかれているが、これについては後述する。
【００３２】
また、この例では、中央分散部３０Ａが、振分けトラフ３０の正確に幅方向中央の位置には配置されていないが、これは、振分け部３０Ｂの個数が２個、振分け部３０Ｃの個数が３個と異なっているためである。各振分け部３０Ｂ、３０Ｃの個数が同数であれば、中央分散部３０Ａは、振分けトラフ３０の正確に幅方向中央の位置に配置されることになる。なお、図５、図６では、図示の便宜上、錠剤Ｔを省略して示している。
【００３３】
整列トラフ３１は、図８および図９に示すように、その上流端では、振分けトラフ３０の下流端における横断面形状（図７参照）に対応した横断面形状を有している。すなわち、整列トラフ３１は、振分けトラフ３０における中央分散部３０Ａの各傾斜面３０ａに対応する一対の傾斜面３１ａと、振分け部３０Ｂ、３０Ｃの各傾斜面３０ｂ１、３０ｂ２および３０ｃ１、３０ｃ２にそれぞれ対応する左右非対称な複数対の傾斜面３１ｂ１、３１ｂ２および３１ｃ１、３１ｃ２とを有している。これらの傾斜面により、異形のＶ字状の横断面形状を有する第２の搬送溝が形成されており、第２の搬送溝は、振分けトラフ３０の第１の搬送溝に対応する形状を有している。
【００３４】
また、これらの傾斜面のうち、各錠剤Ｔの表面または裏面が載置される傾斜面３１ａ、３１ｂ２および３１ｃ２の一部は、図９→図１０→図１１→図１２と下流側に向かうにしたがい、その傾斜角度が変化している。これは、錠剤搬送方向下流端において、当該振分けユニット３からその次工程側への各錠剤の受渡しがスムーズに行われるようにするためである。この例では、傾斜面３１ａ、３１ｂ２および３１ｃ２の一部は、傾斜状態から徐々に水平な状態に移行している。すなわち、異形のＶ字状の横断面形状をしていた第２の搬送溝が、徐々に断面矩形状の溝に変化しており、これにともなって、整列トラフ３１の下流端では、各錠剤Ｔは、対応する断面矩形状の各溝３１ｇに収容されて、水平状態に維持されている（図１２参照）。
【００３５】
各溝３１ｇの底部３１ｄは、整列トラフ３１の下流端には設けられておらず、各溝３１ｇは、整列トラフ３１の下流端では上下に貫通している（図８参照）。また、図８および図１０に示すように、整列トラフ３１の上流側には、錠剤同士の接触や錠剤とトラフの接触等により発生した粉、ならびに前工程で混入した欠け錠や欠片を下方に排出するため長孔３１ｅが貫通形成されている。なお、図９ないし図１１では、図示の便宜上、錠剤Ｔを省略して示している。
【００３６】
傾き修正トラフ３２は、図７中の錠剤Ｔ’のように、振分けトラフ３０による搬送中に、万一、他の錠剤Ｔとは逆の向きに傾斜して起立した状態におかれた錠剤を正規の向きに傾けることで傾きを修正するためのトラフである。平面図である図１３およびそのXIV−XIV線矢視図である図１４に示すように、傾き修正トラフ３２は、振分けトラフ３０の中央分散部３０Ａに対応する位置に配置された一対の傾斜面３２ａと、その左右両側において振分けトラフ３０の各振分け部３０Ｂ、３０Ｃに対応する位置に配置された左右非対称な複数対の傾斜面３２ｂ１、３２ｂ２および３２ｃ１、３２ｃ２とを有しており、いずれの傾斜面も錠剤搬送方向（図１３上下方向および図１４紙面垂直方向）に延設されている。これらの傾斜面により、それぞれ錠剤搬送方向に延びる異形のＶ字状の第３の搬送溝が幅方向に７個形成されている。なお、各傾斜面３２ａは、振分けトラフ３０の中央分散部３０Ａの各傾斜面３０ａに対応した形状に形成されており、好ましくは左右対称である。
【００３７】
傾斜面３２ｂ１、３２ｃ１は、傾斜面３２ａに近い側に配置されており、傾斜面３２ｂ２、３２ｃ２は、傾斜面３２ａから離れた側に配置されている。傾斜面３２ｂ１、３２ｃ１は、直立状態またはこれに近い状態に配置されており、これに対して、傾斜面３２ｂ２、３２ｃ２は、傾斜面３２ｂ１、３２ｃ１に比べて、より水平に近い状態に傾斜して配置されている。
【００３８】
傾斜面３２ｂ１は、上流端（図１３下端）に配置され、振分けトラフ３０の振分け部３０Ｂの下流端における第１の傾斜面３０ｂ１に接続される傾斜面３２ｂ１’と、その下流側（同図上側）に延設され、傾斜面３２ｂ１’に接続される傾斜面３２ｂ１”とから形成されており、同様に、傾斜面３２ｃ１は、上流端（図１３下端）に配置され、振分けトラフ３０の振分け部３０Ｃの下流端における第１の傾斜面３０ｃ１に接続される傾斜面３２ｃ１’と、その下流側（同図上側）に延設され、傾斜面３２ｃ１’に接続される傾斜面３２ｃ１”とから形成されている。上面から見たとき、傾斜面３２ｂ１’、３２ｃ１’は、それぞれ傾斜面３２ｂ１”、３２ｃ１”に対して角度（鋭角）αだけ傾斜して配置されている。
【００３９】
傾斜面３２ｂ１”および３２ｃ１”は、溝の底部３２ｄから上方（図１４上方）に平坦状に延びているが、傾き修正トラフ３２の底面３２Ａに対して溝の底部３２ｄに立てた垂線ＰＬよりも溝の側に傾斜して（つまり張り出して）配置されている。また、傾斜面３２ｂ１’および３２ｃ１’は、その上流端（図１３下端）においては、溝の底部３２ｄから上方（図１３上方）に直線状に延びるとともに、溝の底部３２ｄに立てた垂線ＰＬに沿って配置されているが、当該上流端から第２の傾斜面３２ｂ１”および３２ｃ１”との連結部分にかけては、溝の底部３２ｄから上方に平坦状に延びるとともに、溝の底部３２ｄに立てた垂線ＰＬよりも溝の側に傾斜して（つまり張り出して）配置されている。
【００４０】
上述のように構成された振分けユニット３においては、ホッパ２からフィーダ２０を介してランダムに供給された多数の錠剤は、振分けトラフ３０の中央分散部３０Ａにより左右に分散されるとともに、各振分け部３０Ｂ、３０Ｃにより振り分けられることにより、中央分散部３０Ａの傾斜面３０ａと振分け部３０Ｂ、３０Ｃの第１の傾斜面３０ｂ１、３０ｃ１による第１の搬送溝、および振分け部３０Ｂ、３０Ｃの第１の傾斜面３０ｂ１、３０ｃ１と第２の傾斜面３０ｂ２、３０ｃ２による第１の搬送溝にそれぞれ収容されて下流側に搬送される。
【００４１】
この場合には、振分け部３０Ｂ、３０Ｃの第１の傾斜面３０ｂ１、３０ｃ１が直立状態に傾斜しかつ第２の傾斜面３０ｂ２、３０ｃ２が斜めに（つまりより水平に近い状態に）傾斜していることにより、第１の搬送溝が左右非対称な横断面形状を有している。このため、第１の搬送溝内に収容された各錠剤Ｔは、直立状態に傾斜した第１の傾斜面３０ｂ１、３０ｃ１の上よりも、より水平状態に近い第２の傾斜面３０ｂ２、３０ｃ２の上に安定して載置されやすくなっており、その結果、各錠剤Ｔは、第１の搬送溝において第２の傾斜面３０ｂ２、３０ｃ２の上に整列して載置されることによって、複数列に振り分けられることになる。
【００４２】
このように、多数の錠剤を複数列に振り分けるのに、上述した従来装置における錠剤通過制御板や錠剤起立制御板のような当該振分けトラフとは別個の部材を必要としないので、ユニット全体の構造を簡略化できる。また、供給される錠剤の種類が異なった場合でも、錠剤の大きさや形状に見合った第１の搬送溝を有する振分けトラフに交換するだけでよく、振分けトラフとは別個の部材の調整が不要となるので、錠剤の種類の変更に対するユニット全体の切換えが容易である。
【００４３】
また、振分けトラフ３０の下流側に配置された傾き修正トラフ３２の第３の搬送溝が、搬送方向下流側に向かうにしたがい当該第３の搬送溝の側に徐々に張り出す傾斜面３２ｂ１’、３２ｃ１’を有しているので、振分けトラフ３０において錠剤Ｔとは逆の向きに傾斜して起立した状態におかれている錠剤Ｔ’（図７）が傾き修正トラフ３２に導入されると、図１５に示すように、錠剤Ｔ’の表面または裏面のいずれかが傾き修正トラフ３２の傾斜面３２ｂ１’に当接する。
【００４４】
このとき、傾斜面３２ｂ１’が溝内に徐々に張り出しているため、錠剤Ｔ’が傾斜面３２ｂ１’に沿って移動する際に錠剤Ｔ’はさらに起立した状態になり、この状態から錠剤Ｔ’が傾斜面３２ｂ１”まで移動する間に、傾斜面３２ｂ１’の溝内への張出量がさらに増えるため、錠剤Ｔ’は傾き修正トラフ３２への導入時とは逆の方向に押し戻され、その結果、錠剤Ｔ’は、溝の傾斜面３２ｂ２の上に仰臥状態で載置されることになる（図１５参照）。
【００４５】
錠剤Ｔ’は、その状態のまま下流側に搬送される。その一方、振分けトラフ３０において第２の傾斜面３０ａ、３０ｂ２、３０ｃ２の上に載置されて傾き修正トラフ３２に導入された各錠剤Ｔは、それぞれ傾斜面３２ａ、３２ｂ２、３２ｃ２の上に載置された状態で下流側に搬送される。
【００４６】
続いて、錠剤Ｔ、Ｔ’は、傾き修正トラフ３２の傾斜面３２ａ、３２ｂ２、３２ｃ２から整列トラフ３１の第２の搬送溝に導入されるとともに、当該第２の搬送溝内を搬送方向下流側に向かうにしたがい、傾斜状態から徐々に水平状態に移行する（図９〜図１２参照）。
【００４７】
なお、この振分けユニット３においては、上述したように、バイブレータ３３が設けられており、当該振分けユニット自体が振動フィーダを構成しているので、錠剤の搬送中に各錠剤が重なり合うのが確実に防止されている。
【００４８】
また、振分けトラフ３０、整列トラフ３１および傾き修正トラフ３２の表面には、各溝内での錠剤Ｔ、Ｔ’の滑りをよくするために、例えばタフラム処理等の表面処理が施されている。
【００４９】
前記実施例では、本発明による振分け装置が錠剤の振分けに適用された例を示したが、本発明は、錠剤以外に、ボタン電池やＩＣチップ、工具のバイトチップ、その他の機械部品等の振分けにも適用可能である。
【産業上の利用可能性】
【００５０】
以上のように、本発明は、供給される多数の物品を複数列に振り分ける振分け装置に有用である。
【符号の説明】
【００５１】
３：  振分けユニット（振分け装置）
３０：  振分けトラフ
３０Ａ：  中央分散部
３０ａ：  傾斜面
３０Ｂ：  振分け部
３０ｂ１：  第１の傾斜面
３０ｂ２：  第２の傾斜面
３０Ｃ：  振分け部
３０ｃ１：  第１の傾斜面
３０ｃ２：  第２の傾斜面
３１：  整列トラフ
３２：  傾き修正トラフ
３２ｂ１’、３２ｃ１’：  傾斜面（張出し部位）
３３：  バイブレータ
Ｔ、Ｔ’：  錠剤
【先行技術文献】
【特許文献】
【００５２】
【特許文献１】特開２００８−１７９４６６号公報特（図１ないし図５参照）
【図１】
0005918935.tif 000002
【図２】
0005918935.tif 000003
【図３】
0005918935.tif 000004
【図４】
0005918935.tif 000005
【図５】
0005918935.tif 000006
【図６】
0005918935.tif 000007
【図７】
0005918935.tif 000008
【図８】
0005918935.tif 000009
【図９】
0005918935.tif 000010
【図１０】
0005918935.tif 000011
【図１１】
0005918935.tif 000012
【図１２】
0005918935.tif 000013
【図１３】
0005918935.tif 000014
【図１４】
0005918935.tif 000015
【図１５】
0005918935.tif 000016